(57)【特許請求の範囲】
【請求項１】
本底に固定されたヒール本体と、接地面を有するリフトとを備えた婦人靴のヒールにおいて、
前記ヒール本体は前記本底に固定具を介して固定された硬質の第１ヒール本体と、該第１ヒール本体よりも硬度の小さい第２ヒール本体とが一体に成形されてなり、
前記第２ヒール本体は前記第１ヒール本体の少なくとも外周側面を覆い、
前記リフトには、足の前後方向の前部において、上方に突出する３つの軸部が設けられており、
前記硬質の第１ヒール本体には、下方に開口すると共に前記各軸部が固く嵌まり込む嵌合孔が、前記リフトの前部に対応する位置に３つ設けられ、かつ、前記リフトの後部に対応する部位には設けられておらず、これにより、前記第１ヒール本体に前記リフトが固定され、
前記リフトの前部においては、前記硬質の第１ヒール本体を介して前記リフトによって足が支持され、
一方、前記リフトの後部においては、前記軟質の第２ヒール本体を介して前記リフトによって足が支持され、
前記リフトの後部に対応する部位には、前記軟質の第２ヒール本体により、概ね鉛直面に沿った複数枚のリブ板が一体に形成されていると共に、該リブ板の変形を許容する空洞部が設けられ、
このように、前記リフトの後部に対応する部位に軟質の第２ヒール本体でリブ板を形成すると共に前記３つの軸部および嵌合孔を前記リフトの前部に対応する部位にのみ設けることにより、着地の際の前記後部の変形量が前記前部の変形量よりも大きくなるように設定すると共に、前記後部よりも前記前部の安定性が高くなるように設定された婦人靴のヒール。                                                                          
【請求項２】
本底に固定されたヒール本体と、接地面を有するリフトとを備えた婦人靴のヒールにおいて、
前記ヒール本体は前記本底に固定具を介して固定された硬質の第１ヒール本体と、該第１ヒール本体よりも硬度の小さい第２ヒール本体とが一体に成形されてなり、
前記第２ヒール本体は前記第１ヒール本体の少なくとも外周側面を覆い、
前記リフトには、足の前後方向の略前半部において、上方に突出する３つの軸部が設けられており、
前記硬質の第１ヒール本体には、下方に開口すると共に前記各軸部が固く嵌まり込む嵌合孔が、前記リフトの略前半部に対応する位置に３つ設けられ、かつ、前記リフトの略後半部に対応する部位には設けられておらず、これにより、前記第１ヒール本体に前記リフトが固定され、
前記リフトの略前半部においては、前記硬質の第１ヒール本体を介して前記リフトによって足が支持され、
一方、前記リフトの略後半部においては、前記軟質の第２ヒール本体を介して前記リフトによって足が支持され、
前記リフトの略後半部に対応する部位には、前記軟質の第２ヒール本体により、概ね鉛直面に沿った複数枚のリブ板が一体に形成されていると共に、該リブ板の変形を許容する空洞部が設けられ、
このように、前記リフトの略後半部に対応する部位に軟質の第２ヒール本体でリブ板を形成すると共に前記３つの軸部および嵌合孔を前記リフトの略前半部に対応する部位にのみ設けることにより、着地の際の前記略後半部の変形量が前記略前半部の変形量よりも大きくなるように設定すると共に、前記略後半部よりも前記略前半部の安定性が高くなるように設定された婦人靴のヒール。
【請求項３】
請求項１もしくは２において、前記硬質の第１ヒール本体の嵌合孔に嵌り込む軸部が３本のみ設けられている婦人靴のヒール。
【請求項４】
請求項１において、前記硬質の第１ヒール本体が前記リフトの前部において前記リフトの上端面に接して設けられており、一方、前記硬質の前記第１ヒール本体が前記リフトの後部において前記リフトの上端面から離間しており、
前記後部における前記リフトの上端面と前記第１ヒール本体との空間に前記第１ヒール本体よりも軟質の前記第２ヒール本体が設けられ、
該第２ヒール本体が前記リフトの後部に対応する位置において前記第１ヒール本体の下面に接合されていると共に、前記複数枚のリブ板が前記空間に形成されていることを特徴とする婦人靴のヒール。
【請求項５】
請求項２において、前記硬質の第１ヒール本体が前記リフトの略前半部において前記リフトの上端面に接して設けられており、一方、前記硬質の前記第１ヒール本体が前記リフトの略後半部において前記リフトの上端面から離間しており、
前記略後半部における前記リフトの上端面と前記第１ヒール本体との空間に前記第１ヒール本体よりも軟質の前記第２ヒール本体が設けられ、
該第２ヒール本体が前記リフトの略後半部に対応する位置において前記第１ヒール本体の下面に接合されていると共に、前記複数枚のリブ板が前記空間に形成されていることを特徴とする婦人靴のヒール。
【発明の詳細な説明】
【技術分野】
【０００１】
本発明は婦人靴のヒールに関するものである。
【背景技術】
【０００２】
婦人靴においては、スマートな外観が要求されるので、その踵のヒールは細くかつ高い形状に形成される。かかる形状は、一般に安定性が小さいので、安定性を確保するために、婦人靴のヒールの素材としては、硬い素材が採用されている。
【発明の開示】
【発明が解決しようとする課題】
【０００３】
しかし、ヒールが硬いと、着地の際の衝撃により、足や膝、腰などの関節への負担が大きくなる。そのため、加齢と共に、華奢でスマートな婦人靴を着用することが難しくなる。
したがって、本発明の目的は、安定性を損なうことなく、着地の際の衝撃を軽減し得る婦人靴のヒールを提供することである。
【課題を解決するための手段】
【０００４】
前記目的を達成するために、本発明のある婦人靴のヒールは、本底に固定されたヒール本体と、接地面を有するリフトとを備えた婦人靴のヒールにおいて、前記ヒール本体は前記本底に固定具を介して固定された硬質の第１ヒール本体と、該第１ヒール本体よりも硬度の小さい第２ヒール本体とが一体に成形されてなり、前記第２ヒール本体は前記第１ヒール本体の少なくとも外周側面を覆い、前記リフトには、足の前後方向の前部において、上方に突出する３つの軸部が設けられており、前記硬質の第１ヒール本体には、下方に開口すると共に前記各軸部が固く嵌まり込む嵌合孔が、前記リフトの前部に対応する位置に３つ設けられ、かつ、前記リフトの後部に対応する部位には設けられておらず、これにより、前記第１ヒール本体に前記リフトが固定され、前記リフトの前部においては、前記硬質の第１ヒール本体を介して前記リフトによって足が支持され、一方、前記リフトの後部においては、前記軟質の第２ヒール本体を介して前記リフトによって足が支持され、前記リフトの後部に対応する部位には、前記軟質の第２ヒール本体により、概ね鉛直面に沿った複数枚のリブ板が一体に形成されていると共に、該リブ板の変形を許容する空洞部が設けられ、このように、前記リフトの後部に対応する部位に軟質の第２ヒール本体でリブ板を形成すると共に前記３つの軸部および嵌合孔を前記リフトの前部に対応する部位にのみ設けることにより、着地の際の前記後部の変形量が前記前部の変形量よりも大きくなるように設定すると共に、前記後部よりも前記前部の安定性が高くなるように設定されたことを特徴とする。
【０００５】
足が着地する際には、靴の踵から着地するが、その際、踵の後端から前端という順に着地していく。この着地の際の衝撃は、最初に接地した瞬間、即ち、後端が着地した際に最も大きくなる。
そこで、本発明では、踵の後端の部分に柔らかい素材を介挿して変形量を大きくすることにより緩衝性を高め、一方、前端の部分については硬い素材で形成することにより、安定性の確保を図っている。
【発明を実施するための最良の形態】
【０００６】
以下、本発明の一実施形態を図面にしたがって説明する。
図１は本発明にかかる婦人靴のヒールの一部断面した分解斜視図であり、図２は同ヒールを底面側から見た同分解斜視図である。
図１および図２に示すように、本婦人靴のヒール１は、上部のヒール本体１０と下部のリフト２０からなる。前記ヒール本体１０は、硬質の第１ヒール本体１１と、軟質の第２ヒール本体１２とが一体に成形されてなる。前記リフト２０は、硬質の支持層２１と軟質のリフト本体２２とを備えている。
【０００７】
前記第１ヒール本体１１は、たとえば、ＡＢＳ樹脂、ナイロン樹脂のような硬質の樹脂で形成される。前記第２ヒール本体１２は、ウレタン樹脂、ブタジエンラバーのような軟質の樹脂で形成されている。前記支持層２１は、リフト本体２２よりも硬質の材料で形成されている。なお、リフト本体２２は、耐摩耗性の高い樹脂またはゴムで形成されている。
【０００８】
前記第１ヒール本体１１は、概ね９５°を越えるような極めて硬い樹脂が用いられる。これにより、婦人靴の本底における踵の底面に第１ヒール本体１１をクギやネジで固定することができるようになっている。なお、婦人靴の「本底」とは、足裏を支持すると共に、路面に大きく露出する部分をいう。
前記第２ヒール本体１２の硬度としては、たとえば、５０°から８０°程度の硬度を用いることができ、前記第１ヒール本体１１および支持層２１の硬度よりも小さな硬度に設定する。前記支持層２１としては、一般に、８５°〜９５°程度の硬度を採用するのが好ましい。また、リフト本体２２の硬度としては、６０°〜７５°程度の硬度に設定するのが好ましい。
【０００９】
図４（ａ）は図３（ｃ）のIVａ−IVａ線断面図、図４（ｂ）は図３（ｃ）のIVｂ−IVｂ線断面図である。
図３（ｂ）および図４（ａ）に示すように、前記硬質の第１ヒール本体１１の前部は、ヒール本体１０の上端面から下端面にわたって設けられており、上方の本底の底面から下方のリフト２０の上端面の間にわたって設けられている。
一方、図１、図２、図３（ｂ）および図４（ｂ）に示すように、第１ヒール本体１１の後部は、リフト２０の支持層２１の上端面から離間するように設けられている。これによって、前記後部におけるリフト２０の上端面と前記第１ヒール本体１１との間の空間に、前記第２ヒール本体１２の一部が挿入されたかのように設けられている。
【００１０】
図１および図３（ｂ）に示すように、前記第２ヒール本体１２は、前記後部において前記第１ヒール本体１１の下面に接合されていると共に、前記第１ヒール本体１１の外周側面を覆うように被覆する被覆部１２ａと一体に成形されている。
【００１１】
前記ヒール１の後部において前記第２ヒール本体１２は、複数枚のリブ板１３を有している。図２および図３（ｃ）に示すように、前記後部において、複数枚のリブ板１３の間には空洞部Ｓが形成されている。前記空洞部Ｓを設けることにより、ヒールの軽量化を図り得る。また、接地時の衝撃に対して、前記リブ板１３が該衝撃によって変形すると共に前記空洞部Ｓが変形を許容することにより、該衝撃の緩和を図ることができる。
【００１２】
図２および図３（ｃ）に示すように、前記ヒール本体１０には、大きくて深い３つの嵌合孔１４が形成されている。一方、前記第２ヒール本体１２には、４つの小さなピン孔１５が形成されている。図１および図５に示すように、前記リフト２０の支持層２１の上面には、前記嵌合孔１４にそれぞれ嵌合する３本の軸部２４と、前記ピン孔１５にそれぞれ嵌合する４本のピン２５が一体に形成されている。前記３本の軸部２４はリフト２０の前部に設けらており、一方、前記４本のピン２５はリフト２０の後部に設けられている。
【００１３】
図１および図５の前記３本の軸部２４は、それぞれ、図２に示す前記第１ヒール本体１１の嵌合孔１４に固く嵌まる。一方、図１の前記ピン２５は、それぞれ、図２のピン孔１５に固く嵌まる。こうして、リフト２０は前記ヒール本体１０に固定離脱可能に設けられており、リフト本体２２の底面が摩耗した場合などにリフト２０を容易かつ簡便に交換できるようになっている。
【００１４】
図３（ｂ）および図４に示すように、前記リフト２０とヒール本体１０とは前記支持層２１を介して互いに上下に圧接した状態になっている。
図４（ａ）に示すように、前部においては、前記第１ヒール本体１１が前記支持層２１に圧接した状態になっており、図４（ｂ）に示すように、後部においては、前記第２ヒール本体１２が前記支持層２１に圧接した状態になっている。
このように、ヒール本体１０とリフト２０との間に硬い支持層２１が設けられていることにより、前記第１ヒール本体１１の後部に柔らかい第２ヒール本体１２を設けても、ヒールの形状が経時的に型崩れするのを防止できる。
【００１５】
図１および図２に示すように、前記リフト２０の概ね中央部には、上方に向って凸となるように湾曲した断面アーチ状の湾曲部２３が一体に形成されている。足が接地すると、前記湾曲部２３が全面にわたって足自体のアーチのように、一旦、偏平に変形することで、衝撃の緩和を図ることができる。
【００１６】
図３（ｂ）において、足がヒールの後部から接地すると、ヒールの後部に一旦大きな衝撃が加わる。この大きな衝撃は、リフト２０の上方の第２ヒール本体１２が変形することによって、大きく緩和される。また、湾曲部２３が撓むことによっても大きく緩和される。
【００１７】
つづいてヒールの全面が後部から前部という順に接地していく。前記前部は硬い第１ヒール本体１１がリフト２０の上端面まで設けられているが、この際には、すでに衝撃の値が小さくなっているので、足に加わる衝撃は差程大きくならない。
一方、ヒールの前部には、硬い第１ヒール本体１１と支持層２１を介してリフト２０により支持されているので、体重を安定して支えることができる。
【００１８】
以上説明したように、本実施例のヒールによれば、ヒールの後部におけるリフトの上端面と、硬い第１ヒール本体との空間に、前記第１ヒール本体よりも軟質の第２ヒール本体を設けたので、着地の際に大きな衝撃が加わる後端において、前記衝撃を軽減することができる。
一方、硬質の第１ヒール本体は、ヒールの前部において、本底から下方のリフトの下端面まで設けられているので、該硬い第１ヒール本体によって足の安定性を確保することができる。
また、本実施例のヒールにおいては、柔らかい第２ヒール本体によって後部に複数枚のリブ板を一体に形成しているので、前記リブ板の変形によっても後端に加わる衝撃を緩和することができる。
しかも、柔らかい第２ヒール本体は、被覆部と一体に形成されているので、コストも安くなる。
さらに、第２ヒール本体と一体の被覆部で第１ヒール本体が覆われており、かつ、第１ヒール本体の後部の下面に第２ヒール本体が接合されているので、第１ヒール本体と第２ヒール本体との接合面が十分に大きくなるから、繰り返し衝撃の加わる部分であっても、第１ヒール本体と第２ヒール本体が強固に連結されて破損するようなことがない。
【００１９】
また、複数枚のリブ板の間に空洞部を形成すれば、ヒールの軽量性を高めることができると共に、衝撃時にリブ板の変形が許容され、緩衝性が高まる。
【００２０】
また、断面湾曲状のアーチ部をリフトに設ければ、着地圧力により該湾曲部が足自体のアーチのように偏平に変形し、着地の衝撃をやわらげることができる。
【００２１】
一方、リフトの上面に硬い支持層を形成することにより、この硬い支持層を柔らかいリフトの下面と前記柔らかい第２ヒール本体との間に介挿すれば、ヒールおよびリフトが外周部に向って膨らむように変形するのを防止でき、安定性を高めることができる。
【００２２】
さらに、リフトの上方に突出する軸部がヒール本体の嵌合孔に嵌合していることにより、前記リフトの中央部における撓みが許容されるので、更なる衝撃緩和を図ることができる。
【図面の簡単な説明】
【００２３】
【図１】本発明にかかる婦人靴のヒールの第１実施例を示す一部断面した分解斜視図である。
【図２】同ヒールを底面側から見た同分解斜視図である。
【図３】（ａ）はヒールの側面図、（ｂ）はヒールの縦断面図、（ｃ）はヒール本体の底面図である。
【図４】（ａ）は図３（ｃ）のIVａ−IV線断面図、（ｂ）は図３（ｃ）のIVｂ−IVｂ線断面図である。
【図５】（ａ）はリフトの平面図、（ｂ）はリフトの側面図である。
【符号の説明】
【００２４】
１：ヒール
１０：ヒール本体
１１：第１ヒール本体
１２ａ：被覆部
１２：第２ヒール本体
１３：リブ板
１４：嵌合孔
２０：リフト
２１：支持層
２２：リフト本体
２３：湾曲部
２４：軸部
Ｓ：空洞部
【図１】
0003718676.tif 000002
【図２】
0003718676.tif 000003
【図３】
0003718676.tif 000004
【図４】
0003718676.tif 000005
【図５】
0003718676.tif 000006